【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
相互に作動可能に連結した少なくとも３つの回転可能な構成要素を有する回転速度変換機を含み、
上記少なくとも３つの回転可能な構成要素のうちの１つの構成要素が上記回転速度変換機に対する入力部分となり、
上記少なくとも３つの回転可能な構成要素のうちの別の構成要素が上記回転速度変換機の出力部分となり、そして、
上記少なくとも３つの回転可能な構成要素のうちの少なくとも１つに作動可能に連結してあって、
これら少なくとも３つの回転可能な構成要素のうちの少なくとも１つを選択的に固定する固定部材を含む、
出力を制御する多速度比装置。
【請求項２】
さらにハウジングを含む、請求項１に記載の装置。
【請求項３】
少なくとも３つの回転可能な構成要素のうちの少なくとも１つの固定可能な構成要素がハウジングに固定される、請求項２に記載の装置。
【請求項４】
少なくとも３つの回転可能な構成要素のうち少なくとも１つが、内側カム、リアクションディスクまたは外側カムのいずれかを含む、請求項１に記載の装置。
【請求項５】
少なくとも３つの回転可能な構成要素が内側カム、リアクションディスクおよび外側カムを含み、さらに、該リアクションディスクに設けた複数のスロットと、これら複数のスロットのうちの少なくとも１つのスロット内に選択的に配置される接触部材とを含む、請求項１に記載の装置。
【請求項６】
接触部材がローラを含む、請求項５に記載の装置。
【請求項７】
接触部材が軸受を含む、請求項５に記載の装置。
【請求項８】
接触部材がローラ装置を含む、請求項５に記載の装置。
【請求項９】
入力部分が内側カムであり、出力部分がリアクションディスクであり、そして少なくとも３つの回転可能な構成要素のうちの少なくとも１つの固定可能な構成要素が外側カムである、請求項１に記載の装置。
【請求項１０】
入力部分がリアクションディスクであり、出力部分が内側カムであり、そして少なくとも３つの回転可能な構成要素のうちの少なくとも１つの固定可能な構成要素が外側カムである、請求項１に記載の装置。
【請求項１１】
入力部分が外側カムであり、出力部分が内側カムであり、そして少なくとも３つの回転可能な構成要素のうちの少なくとも１つの固定可能な構成要素がリアクションディスクである、請求項１に記載の装置。
【請求項１２】
入力部分が内側カムであり、出力部分が外側カムであり、そして少なくとも３つの回転可能な構成要素のうちの少なくとも１つの固定可能な構成要素がリアクションディスクである、請求項１に記載の装置。
【請求項１３】
入力部分がリアクションディスクであり、出力部分が外側カムであり、そして少なくとも３つの回転可能な構成要素のうちの少なくとも１つの固定可能な構成要素が内側カムである、請求項１に記載の装置。
【請求項１４】
入力部分が外側カムであり、出力部分がリアクションディスクであり、そして少なくとも３つの回転可能な構成要素のうちの少なくとも１つの固定可能な構成要素が内側カムである、請求項１に記載の装置。
【請求項１５】
回転速度変換機の少なくとも３つの回転可能な構成要素が入れ子式構成からなる、請求項１に記載の装置。
【請求項１６】
少なくとも３つの回転可能な構成要素のうち少なくとも１つが、内側カム、リアクションディスクまたは外側カムのいずれか１つを含む、請求項１５に記載の装置。
【請求項１７】
入力部分が内側カムであり、出力部分がリアクションディスクであり、そして少なくとも３つの回転可能な構成要素のうちの１つの固定可能な構成要素が外側カムである、請求項１５に記載の装置。
【請求項１８】
入力部分がリアクションディスクであり、出力部分が内側カムであり、そして少なくとも３つの回転可能な構成要素のうちの少なくとも１つの固定可能な構成要素が外側カムである、請求項１５に記載の装置。
【請求項１９】
入力部分が外側カムであり、出力部分が内側カムであり、そして少なくとも３つの回転可能な構成要素のうちの少なくとも１つの固定可能な構成要素がリアクションディスクである、請求項１５に記載の装置。
【請求項２０】
入力部分が内側カムであり、出力部分が外側カムであり、そして少なくとも３つの回転可能な構成要素のうちの少なくとも１つの固定可能な構成要素がリアクションディスクである、請求項１５に記載の装置。
【請求項２１】
入力部分がリアクションディスクであり、出力部分が外側カムであり、そして少なくとも３つの回転可能な構成要素のうちの少なくとも１つの固定可能な構成要素が内側カムで
ある、請求項１５に記載の装置。
【請求項２２】
入力部分が外側カムであり、出力部分がリアクションディスクであり、そして少なくとも３つの回転可能な構成要素のうちの少なくとも１つの固定可能な構成要素が内側カムである、請求項１５に記載の装置。
【請求項２３】
回転速度変換機が共役対の回転可能な部分を含む、請求項１に記載の装置。
【請求項２４】
少なくとも３つの回転可能な構成要素のうち少なくとも１つが、内側カム、リアクションディスクまたは外側カムのいずれかを含む、請求項２３に記載の装置。
【請求項２５】
入力部分が内側カムであり、出力部分がリアクションディスクであり、少なくとも３つの回転可能な構成要素のうちの少なくとも１つの固定可能な構成要素が外側カムであり、そして内側カムおよび外側カムが共役である、請求項２３に記載の装置。
【請求項２６】
入力部分がリアクションディスクであり、出力部分が内側カムであり、少なくとも３つの回転可能な構成要素のうちの少なくとも１つの固定可能な構成要素が外側カムであり、そして内側カムおよび外側カムが共役である、請求項２３に記載の装置。
【請求項２７】
入力部分が外側カムであり、出力部分が内側カムであり、少なくとも３つの回転可能な構成要素のうちの少なくとも１つの固定可能な構成要素がリアクションディスクであり、そして内側カムおよび外側カムが共役である、請求項２３に記載の装置。
【請求項２８】
入力部分が内側カムであり、出力部分が外側カムであり、少なくとも３つの回転可能な構成要素のうちの少なくとも１つの固定可能な構成要素がリアクションディスクであり、そして内側カムおよび外側カムが共役である、請求項２３に記載の装置。
【請求項２９】
入力部分がリアクションディスクであり、出力部分が外側カムであり、少なくとも３つの回転可能な構成要素のうちの少なくとも１つの固定可能な構成要素が内側カムであり、そして内側カムおよび外側カムが共役である、請求項２３に記載の装置。
【請求項３０】
入力部分が外側カムであり、出力部分がリアクションディスクであり、少なくとも３つの回転可能な構成要素のうちの少なくとも１つの固定可能な構成要素が内側カムであり、そして内側カムおよび外側カムが共役である、請求項２３に記載の装置。
【請求項３１】
入力部分が駆動部材に作動可能に連結してある、請求項１に記載の装置。
【請求項３２】
駆動部材がエンジンを含む、請求項３１に記載の装置。
【請求項３３】
駆動部材がモータを含む、請求項３１に記載の装置。
【請求項３４】
駆動部材がトランスミッションを含む、請求項３１に記載の装置。
【請求項３５】
駆動部材が別の回転速度変換機を含む、請求項３１に記載の装置。
【請求項３６】
出力部分が駆動可能な部材に作動可能に連結してある、請求項１に記載の装置。
【請求項３７】
駆動可能な部材が別の回転速度変換機である、請求項３６に記載の装置。
【請求項３８】
駆動可能な部材が差動装置を含む、請求項３６に記載の装置。
【請求項３９】
さらにハウジングを含み、差動装置が該ハウジング内に収容してある、請求項３８に記載の装置。
【請求項４０】
後進駆動可能である請求項１に記載の装置。
【請求項４１】
後進駆動不能である請求項１に記載の装置。
【請求項４２】
リアクションディスクが共役対のカム部分の間に入れ子になっている、請求項５に記載の装置。
【請求項４３】
固定部材が摩擦部材を含む、請求項１に記載の装置。
【請求項４４】
固定部材がブレーキ要素を含む、請求項１に記載の装置。
【請求項４５】
固定部材がクラッチを含む、請求項１に記載の装置。
【請求項４６】
ハウジングを含み、
共役対のカム部分と、この共役対のカム部分の間に作動可能に相互連結したリアクションディスクとを有し、上記ハウジング内に収容してある単段回転速度変換機を含み、
上記共役対のカム部分のうち１つの部分が内側カムおよび入力軸を含み、この内側カムが所定の入力回転速度を発生できる駆動部材によって駆動可能であり、
上記共役対のカム部分の別の部分が外側カムを含み、
上記リアクションディスクがスロットおよび出力軸を含み、上記共役対のカム部分を作動可能に連結することができ、ここでこの出力軸が所定の出力回転速度を発生することができ、そしてさらに駆動可能な部材を駆動することができ、
上記スロットのうち少なくとも１つの中に選択的に配置された接触部材を含み、そして
上記外側カムに作動可能に連結してあり、上記ハウジングに対してこの外側カムを選択的に固定できる固定部材を含む、
軸の回転運動を発生するための速度変換機。
【請求項４７】
ハウジングを含み、
共役対のカム部分と、この共役対のカム部分の間に作動可能に相互連結したリアクションディスクとを有し、上記ハウジング内に収容してある単段回転速度変換機を含み、
上記共役対のカム部分のうち１つの部分が内側カムおよび出力軸を含み、この出力軸が所定の出力回転速度を有することができると共にさらに駆動可能な部材を駆動することができ、
上記共役対のカム部分の別の部分が外側カムであり、
上記リアクションディスクがスロットおよび入力軸を含み、このスロット付きリアクションディスクが上記共役対のカム部分を作動可能に連結することができ、ここでこのリアクションディスクが所定の入力回転速度を有することができる駆動部材によって駆動可能であり、
上記スロットのうちの少なくとも１つの中に選択的に配置される接触部材を含み、そして
上記外側カムに作動可能に連結してあり、上記ハウジングに対してこの外側カムを選択的に固定できる固定部材を含む、
軸の回転運動を発生するための速度変換機。
【請求項４８】
ハウジングを含み、
共役対のカム部分と、この共役対のカム部分の間に作動可能に相互連結したリアクショ
ンディスクとを有し、上記ハウジング内に収容してある単段回転速度変換機を含み、
上記共役対のカム部分のうち１つの部分が内側カムおよび出力軸を含み、この出力軸が所定の出力回転速度を有することができ、さらに駆動可能な部材を駆動することができ、
上記共役対のカム部分の別の部分が外側カムであり、
上記リアクションディスクがスロットおよび入力軸を含み、このスロット付きのリアクションディスクが上記共役対のカム部分を作動可能に連結することができ、このリアクションディスクが所定の入力回転速度を発生できる駆動部材によって駆動可能であり、
上記スロットのうちの少なくとも１つの中に選択的に配置される接触部材を含み、そして
上記外側カムに作動可能に連結してあり、上記ハウジングに対してこの外側カムを選択的に固定できる固定部材を含む、
軸の回転運動を発生するための速度変換機。
【請求項４９】
入力カム、出力カム、リアクションディスクおよび接触部材を有し、これらすべてが共通軸線上にあり、互いに作動可能に相互連結している少なくとも１つの単段速度変換機を含み、
この少なくとも１つの単段速度変換機がトランスミッションと車軸の間に配置してあり、
上記入力カムおよび出力カムが互いに共役であり、
上記リアクションディスクが複数のスロットを有し、これら複数のスロットの各々が上記接触部材を受け入れることができ、
上記入力カムがトランスミッションに作動可能に連結してあり、
上記リアクションディスクが車軸に作動可能に連結してあり、そして
上記外側カムに作動可能に連結してあり、上記外側カムを選択的に固定できる固定部材を含み、それによって上記少なくとも１つの単段速度変換機にトランスミッションによって適用された回転速度を別の回転速度に変換できる、
トランスミッションに作動可能に連結することができる多速度比速度変換機。
【請求項５０】
少なくとも１つの単段速度変換機を所定の速度比に設定できる、請求項４９に記載の多速度比速度変換機。
【請求項５１】
さらに少なくとも１つの単段速度変換機を複数含み、各単段速度変換機が他の単段速度変換機に作動可能に連結してあり、かつ、トランスミッションと車軸の間に配置してある、請求項４９に記載の多速度比速度変換機。
【請求項５２】
入力カム、出力カム、リアクションディスクおよび接触部材を有し、これらすべてが共通軸線上にあり、互いに作動可能に相互連結している少なくとも１つの単段速度変換機を含み、
上記少なくとも１つの単段速度変換機がトランスミッションと車軸の間に配置してあり、
上記入力カムおよび出力カムが互いに共役であり、
上記リアクションディスクが複数のスロットを有し、これら複数のスロットの各々が上記接触部材を受け入れることができ、
上記入力カムがトランスミッションに作動可能に連結してあり、
上記リアクションディスクが車軸に作動可能に連結してあり、そして
上記外側カムに作動可能に連結してあり、この外側カムを選択的に固定できる固定部材を含み、それによって少なくとも１つの単段速度変換機にトランスミッションによって適用された回転速度を別の回転速度に変換できる、
多速度比速度トランスミッション・モジュール。
【請求項５３】
入力カム、出力カム、リアクションディスクおよび接触部材を有し、これらすべてが共通軸線上にあり、互いに作動可能に相互連結している少なくとも１つの単段速度変換機を含み、
上記少なくとも１つの単段速度変換機が動力源と車軸の間に配置してあり、
上記入力カムおよび出力カムが互いに共役であり、
上記リアクションディスクが複数のスロットを有し、これら複数のスロットの各々が上記接触部材を受け入れることができ、
上記入力カムが動力源に作動可能に連結してあり、
上記リアクションディスクが車軸に作動可能に連結してあり、そして、
上記外側カムに作動可能に連結してあり、この外側カムを選択的に固定できる固定部材を含み、それによって上記少なくとも１つの単段速度変換機に動力源によって適用された回転速度を別の回転速度に変換できる、
多速度比速度トランスミッション。
【請求項５４】
少なくとも３つの回転可能な構成要素を有する少なくとも１つの回転速度変換機を含み、
上記少なくとも３つの回転可能な構成要素のうちの１つの構成要素が上記少なくとも１つの回転速度変換機への入力部であり、
上記少なくとも３つの回転可能な構成要素のうちの別の構成要素が上記少なくとも１つの回転速度変換機への出力部であり、そして
上記少なくとも３つの回転可能な構成要素のうちの少なくとも１つに作動可能に連結してあって、上記少なくとも３つの回転可能な構成要素のうちの少なくとも１つを選択的に固定する固定部材を含む、
トランスミッション。
【請求項５５】
少なくとも３つの回転可能な構成要素を有する少なくとも１つの回転速度変換機を含み、
上記少なくとも３つの回転可能な構成要素のうちの１つの構成要素が上記少なくとも１つの回転速度変換機への入力部であり、
上記少なくとも３つの回転可能な構成要素のうちの別の構成要素が上記少なくとも１つの回転速度変換機への出力部であり、そして
上記少なくとも３つの回転可能な構成要素のうちの１つに作動可能に連結してあって、上記少なくとも３つの回転可能な構成要素のうちの少なくとも１つを選択的に固定する固定部材を含む、
差動装置。
【請求項５６】
共通ハウジング内で差動装置に作動可能に連結した、請求項１に記載の装置。